(57)【要約】【課題】  光学濃度（ＯＤ値）をさらに向上可能な自己分散型黒系顔料を用いたインクジェット記録用水性黒系インクを提供する。【解決手段】  着色剤、水及び水溶性高分子を含むインクジェット記録用水性インクであって、前記着色剤が、リン酸基により修飾された自己分散型顔料を含み、前記水溶性高分子が、デキストラン及びその誘導体の少なくとも一方を含むことを特徴とするインクジェット記録用水性黒系インク。【選択図】  なし【特許請求の範囲】
【請求項１】
着色剤、水及び水溶性高分子を含むインクジェット記録用水性インクであって、
前記着色剤が、リン酸基により修飾された自己分散型黒系顔料を含み、
前記水溶性高分子が、デキストラン及びその誘導体の少なくとも一方を含むことを特徴とするインクジェット記録用水性黒系インク。
【請求項２】
前記水性黒系インクにおける前記リン酸基により修飾された自己分散型黒系顔料（Ｘ）と、デキストラン及びその誘導体の少なくとも一方（Ｙ）との重量比が、Ｘ：Ｙ＝１：０．０４〜１．２５であることを特徴とする請求項１記載のインクジェット記録用水性黒系インク。
【請求項３】
前記水性黒系インク全量に対する前記デキストラン及びその誘導体の少なくとも一方の配合量が、０．３重量％〜５重量％であることを特徴とする請求項１又は２記載のインクジェット記録用水性黒系インク。
【請求項４】
前記デキストラン及びその誘導体の少なくとも一方が、カルボキシアルキルデキストラン及びその塩を含むことを特徴とする請求項１〜３のいずれか一項に記載のインクジェット記録用水性黒系インク。
【請求項５】
インクジェット記録用水性黒系インクを含むインクカートリッジであって、前記水性黒系インクが、請求項１〜４のいずれか一項に記載のインクジェット記録用水性黒系インクであることを特徴とするインクカートリッジ。
【発明の詳細な説明】
【技術分野】
【０００１】
本発明は、インクジェット記録用水性黒系インク及びインクカートリッジに関する。
【背景技術】
【０００２】
光学濃度（ＯＤ値）及び彩度の向上を目的として、水性顔料インクに、水分散性ポリマーを含有させることが提案されている（例えば、特許文献１及び２参照）。
【先行技術文献】
【特許文献】
【０００３】
【特許文献１】特開２００６−２１４１号公報
【特許文献２】特開２０１２−８７３０９号公報
【発明の概要】
【発明が解決しようとする課題】
【０００４】
しかしながら、水性顔料インクには、更なる光学濃度（ＯＤ値）の向上が求められている。
【０００５】
そこで、本発明は、光学濃度（ＯＤ値）をさらに向上可能な自己分散型黒系顔料を用いたインクジェット記録用水性黒系インクを提供することを目的とする。
【課題を解決するための手段】
【０００６】
前記目的を達成するために、本発明のインクジェット記録用水性黒系インクは、
着色剤、水及び水溶性高分子を含むインクジェット記録用水性インクであって、
前記着色剤が、リン酸基により修飾された自己分散型黒系顔料を含み、
前記水溶性高分子が、デキストラン及びその誘導体の少なくとも一方を含むことを特徴とする。
【発明の効果】
【０００７】
本発明のインクジェット記録用水性黒系インクは、自己分散型黒系顔料としてリン酸基により修飾されたものを用い、かつ、デキストラン及びその誘導体の少なくとも一方を配合したことで、光学濃度（ＯＤ値）をさらに向上可能である。
【図面の簡単な説明】
【０００８】
【図１】図１は、本発明のインクジェット記録装置の構成の一例を示す概略斜視図である。
【発明を実施するための形態】
【０００９】
本発明において、「黒系」とは、白色を除く無彩色のことであり、黒（ブラック）及び灰色（グレー）を含む。
【００１０】
本発明において、「デキストラン及びその誘導体の少なくとも一方」とは、デキストラン単独であってもよいし、デキストラン誘導体単独であってもよいし、デキストラン及びデキストラン誘導体の混合物であってもよいことを意味する。
【００１１】
本発明のインクジェット記録用水性黒系インク（以下、「水性黒系インク」又は「黒系インク」と言うことがある。）について説明する。本発明の水性黒系インクは、着色剤、水及び水溶性高分子を含む。前述のとおり、前記着色剤は、リン酸基により修飾された自己分散型黒系顔料（以下、「リン酸基修飾自己分散型黒系顔料」と言うことがある。）を含む。前記リン酸基修飾自己分散型黒系顔料は、例えば、特表２００９−５１５００７号公報、特表２０１１−５１５５３５号公報、特開２００６−１９９９６８号公報、特表２００９−５１３８０２号公報、特表２０１１−５１０１５５号公報に記載の方法により調製できる。前記リン酸基修飾自己分散型黒系顔料は、例えば、市販品を用いてもよい。本発明の水性黒系インクは、自己分散型黒系顔料を使用しているため、高分子顔料分散剤に起因する粘度上昇の問題が無く、かつ、取り扱い性に優れる。
【００１２】
前記自己分散型黒系顔料の原料として用いることができる黒系顔料としては、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、カーボンブラック系無機顔料等をあげることができる。前記有機顔料としては、例えば、アニリンブラック昼光蛍光顔料等があげられる。また、これら以外の顔料として、例えば、Ｃ．Ｉ．ピグメントブラック１、６等もあげられる。特に、前記リン酸基による修飾を行うのに適した顔料としては、例えば、三菱化学（株）製の「ＭＡ８」及び「ＭＡ１００」、デグサ社製の「カラーブラックＦＷ２００」等のカーボンブラックがあげられる。
【００１３】
前記水性黒系インク全量に対する前記リン酸基修飾自己分散型黒系顔料の固形分配合量（顔料固形分量）は、特に限定されず、例えば、所望の光学濃度等により、適宜決定できる。前記顔料固形分量は、例えば、０．１重量％〜２０重量％であり、好ましくは、１重量％〜１５重量％であり、より好ましくは、２重量％〜１２重量％である。
【００１４】
前記着色剤は、前記リン酸基修飾自己分散型黒系顔料に加え、さらに他の顔料及び染料等を含んでもよいが、前記リン酸基修飾自己分散型黒系顔料のみで構成されていることが好ましい。
【００１５】
前記水は、イオン交換水又は純水であることが好ましい。前記水性黒系インク全量に対する前記水の配合量（水割合）は、例えば、１０重量％〜９０重量％であり、好ましくは、４０重量％〜８０重量％である。前記水割合は、例えば、他の成分の残部としてもよい。
【００１６】
前述のとおり、前記水溶性高分子は、デキストラン及びその誘導体の少なくとも一方（以下、「デキストラン等」と言うことがある。）を含む。前記デキストラン誘導体としては、例えば、カルボキシアルキルデキストラン及びその塩、デキストラン硫酸ナトリウム、デキストラン硫酸カリウム、デキストラン硫酸マグネシウム等があげられる。前記カルボキシアルキルデキストラン及びその塩のアルキル基としては、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、ｎ−ヘキシル基、ｎ−オクチル基、ｎ−ノニル基、ｎ−デシル基、ｎ−ウンデシル基、ｎ−ドデシル基等があげられ、メチル基、エチル基、ｎ−プロピル基、イソプロピル基であることが好ましく、メチル基である（前記カルボキシアルキルデキストラン及びその塩が、カルボキシメチルデキストラン及びその塩である）ことが特に好ましい。
【００１７】
前記水溶性高分子は、前記デキストラン等に加え、さらに他の水溶性高分子を含んでもよい。
【００１８】
前記デキストラン等の分子量は、例えば、１０００〜５０万であり、好ましくは、４万〜２０万である。
【００１９】
前記水性黒系インク全量に対する前記デキストラン等の配合量（デキストラン等割合）は、例えば、０．２重量％〜１０重量％であり、好ましくは、０．３重量％〜５重量％である。前記デキストラン等割合を０．３重量％以上とすることで、光学濃度（ＯＤ値）のより高い水性黒系インクを得ることができる。また、前記デキストラン等割合を５重量％以下とすることで、より保存安定性に優れた水性黒系インクを得ることができる。
【００２０】
前記水性黒系インク全量における前記顔料固形分量（Ｘ）と、前記デキストラン等（Ｙ）との重量比は、例えば、Ｘ：Ｙ＝１：０．０３〜２であり、好ましくは、１：０．０４〜１．２５である。Ｘ：Ｙを１：０．０４以上とすることで、光学濃度（ＯＤ値）のより高い水性黒系インクを得ることができる。また、Ｘ：Ｙを１：１．２５以下とすることで、より保存安定性に優れた水性黒系インクを得ることができる。
【００２１】
メカニズムは不明であるが、後述の実施例で示すように、本発明の水性黒系インクは、自己分散型黒系顔料としてリン酸基により修飾されたものを用い、かつ、デキストラン等を配合したことで、光学濃度（ＯＤ値）をさらに向上可能である。
【００２２】
本発明の水性黒系インクは、さらに、水溶性有機溶剤を含むことが好ましい。前記水溶性有機溶剤としては、例えば、インクジェットヘッドのノズル先端部における水性黒系インクの乾燥を防止する湿潤剤及び記録媒体上での乾燥速度を調整する浸透剤があげられる。
【００２３】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００２４】
前記水性黒系インク全量に対する前記湿潤剤の配合量は、例えば、０重量％〜９５重量％であり、好ましくは、５重量％〜８０重量％であり、より好ましくは、５重量％〜５０重量％である。
【００２５】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００２６】
前記水性黒系インク全量に対する前記浸透剤の配合量は、例えば、０重量％〜２０重量％であり、好ましくは、０．１重量％〜１５重量％であり、より好ましくは、０．５重量％〜１０重量％である。
【００２７】
前記水性黒系インクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤は、例えば、ポリビニルアルコール、セルロース、水溶性樹脂等があげられる。
【００２８】
前記水性黒系インクは、例えば、着色剤、水及び水溶性高分子と、必要に応じて他の添加成分とを、従来公知の方法で均一に混合し、フィルタ等で不溶解物を除去することにより調製できる。
【００２９】
つぎに、本発明のインクカートリッジは、インクジェット記録用水性黒系インクを含むインクカートリッジであって、前記水性黒系インクが、本発明のインクジェット記録用水性黒系インクであることを特徴とする。前記インクカートリッジの本体としては、例えば、従来公知のものを使用できる。
【００３０】
つぎに、本発明のインクジェット記録装置及びインクジェット記録方法について説明する。
【００３１】
本発明のインクジェット記録装置は、インク収容部及びインク吐出手段を含み、前記インク収容部に収容されたインクを前記インク吐出手段によって吐出するインクジェット記録装置であって、前記インク収容部に、本発明のインクジェット記録用水性黒系インクが収容されていることを特徴とする。
【００３２】
本発明のインクジェット記録方法は、記録媒体に水性インクをインクジェット方式により吐出して記録するインクジェット記録方法であって、前記水性インクとして、本発明のインクジェット記録用水性黒系インクを用いることを特徴とする。
【００３３】
本発明のインクジェット記録方法は、例えば、本発明のインクジェット記録装置を用いて実施可能である。前記記録は、印字、印画、印刷等を含む。
【００３４】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成要素として含む。
【００３５】
４つのインクカートリッジ２は、イエロー、マゼンタ、シアン及びブラックの４色の水性インクを、それぞれ１色ずつ含む。例えば、前記水性ブラックインクが、本発明のインクジェット記録用水性黒系インクである。その他の水性インクは、一般的な水性インクを用いてよい。ヘッドユニット４に設置されたインクジェットヘッド３は、記録媒体（例えば、記録用紙）Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００３６】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００３７】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００３８】
本例のインクジェット記録装置１においては、４つのインクカートリッジ２は、ヘッドユニット４と共に、１つのキャリッジ５に搭載されている。ただし、本発明は、これに限定されない。インクジェット記録装置１において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置１内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。
【００３９】
このインクジェット記録装置１を用いたインクジェット記録は、例えば、つぎのようにして実施される。まず、記録用紙Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から吐出される水性インクにより所定の記録がされる。記録後の記録用紙Ｐは、インクジェット記録装置１から排紙される。本発明の水性黒系インクで記録された記録物は、光学濃度（ＯＤ値）が高い。図１においては、記録用紙Ｐの給紙機構及び排紙機構の図示を省略している。
【００４０】
図１に示す装置では、シリアル型インクジェットヘッドを採用するが、本発明は、これに限定されない。前記インクジェット記録装置は、ライン型インクジェットヘッドを採用する装置であってもよい。
【実施例】
【００４１】
つぎに、本発明の実施例について比較例と併せて説明する。なお、本発明は、下記の実施例及び比較例により限定及び制限されない。
【００４２】
［実施例１〜１３及び比較例１〜７］
水性黒系インク組成（表１）における、自己分散型カーボンブラックを除く成分を、均一に混合しインク溶媒を得た。つぎに、水に分散させた自己分散型カーボンブラックに前記インク溶媒を加え、均一に混合した。その後、得られた混合物を、東洋濾紙（株）製のセルロースアセテートタイプメンブレンフィルタ（孔径３．００μｍ）でろ過することで、実施例１〜１３及び比較例１〜７のインクジェット記録用水性黒系インクを得た。
【００４３】
実施例及び比較例の水性黒系インクについて、（ａ）光学濃度（ＯＤ値）評価、（ｂ）保存安定性評価及び（ｃ）総合評価を、下記方法により実施した。
【００４４】
（ａ）光学濃度（ＯＤ値）評価
ブラザー工業（株）製のインクジェットプリンタＤＣＰ−Ｊ５２５Ｎを使用して、実施例及び比較例の水性黒系インクを用いて普通紙上に解像度６００ｄｐｉ×３００ｄｐｉで黒単色パッチを含む画像を記録し評価サンプルを作製した。前記評価サンプル中の５箇所の光学濃度（ＯＤ値）を、Ｘ−Ｒｉｔｅ社製の分光測色計ＳｐｅｃｔｒｏＥｙｅにより測定し、平均値を求め、下記評価基準に従って評価した。前記普通紙には、ＸＥＲＯＸ社製のＲｅｃｙｃｌｅｄ  Ｓｕｐｒｅｍｅを用いた。
【００４５】
光学濃度（ＯＤ値）評価  評価基準
Ａ：光学濃度（ＯＤ値）が、比較例５〜７のうち、デキストラン等を配合しなかったこと以外は同条件である比較例の光学濃度（ＯＤ値）の１．２３倍以上
Ｂ：光学濃度（ＯＤ値）が、比較例５〜７のうち、デキストラン等を配合しなかったこと以外は同条件である比較例の光学濃度（ＯＤ値）の１．１９倍を超えて１．２３倍未満
Ｃ：光学濃度（ＯＤ値）が、比較例５〜７のうち、デキストラン等を配合しなかったこと以外は同条件である比較例の光学濃度（ＯＤ値）の１．１９倍以下
【００４６】
（ｂ）保存安定性評価
実施例及び比較例の水性黒系インクを、密閉容器に入れ、温度４０℃の環境下に１日保存した。このようにして作製した評価サンプルに凝集物が無いかを顕微鏡（倍率２００倍）にて観察し、下記評価基準に従って保存安定性を評価した。
【００４７】
保存安定性評価  評価基準
Ａ：凝集物が無かった
Ｂ：微量の凝集物が観察された
Ｃ：多量の凝集物が観察された
【００４８】
（ｃ）総合評価
各水性黒系インクについて、前記（ａ）及び（ｂ）の結果から、下記評価基準に従って総合評価を行った。
【００４９】
総合評価  評価基準
Ｇ  ：（ａ）及び（ｂ）の評価結果のいずれもＣではなかった
ＮＧ：（ａ）及び（ｂ）の評価結果のいずれか又は双方がＣであった
【００５０】
実施例及び比較例の水性黒系インクの水性黒系インク組成及び評価結果を、表１に示す。
【００５１】
【表１】
2015174923.tif 000002
【００５２】
表１に示すとおり、実施例１〜１１では、光学濃度（ＯＤ値）が、デキストラン等を配合しなかったこと以外は同条件である比較例５の１．２０倍以上と向上していた。また、実施例１２及び１３でも、光学濃度（ＯＤ値）が、デキストラン等を配合しなかったこと以外は同条件である比較例７の１．２６倍及び１．２７倍と向上していた。特に、リン酸基修飾自己分散型黒系顔料（Ｘ）とデキストラン等（Ｙ）との重量比（Ｘ：Ｙ）を１：０．０４〜１．２５（Ｙ／Ｘを０．０４〜１．２５）とし、かつ、デキストラン等の配合量（Ｙ）を０．３重量％〜５重量％とした実施例１〜９、１１及び１２では、光学濃度（ＯＤ値）が、デキストラン等を配合しなかったこと以外は同条件である比較例の１．２３倍以上と大幅に向上し、保存安定性にもより優れていた。一方、リン酸基修飾自己分散型黒系顔料に代えてスルホン酸基により修飾された自己分散型黒系顔料を用いた比較例１〜３では、光学濃度（ＯＤ値）が、デキストラン等を配合しなかったこと以外は同条件である比較例６の１．１３倍〜１．１４倍に留まった。さらに、デキストラン等に代えてでんぷんを用いた比較例４では、光学濃度（ＯＤ値）が、でんぷんを用いなかったこと以外は同条件である比較例５の１．０８倍に留まった。
【産業上の利用可能性】
【００５３】
以上のように、本発明の水性黒系インクは、光学濃度（ＯＤ値）をさらに向上可能なものである。本発明の水性黒系インクの用途は、特に限定されず、各種のインクジェット記録に広く適用可能である。
【符号の説明】
【００５４】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2015174923.tif 000003